(57)【要約】【課題】ユーザおよび給油所の双方にとって、プリカやクレジットカードよりも利用し易いカードを用いた給油所システムを提供する。【解決手段】読取機が読み取ったカードの種別が第１カードか第２カードかを分別すると共に、当該カードが第１カードである場合に、第１のカードＩＤに対応する当該第１カードを用いることができるか否かの信用情報を記憶するオーソリセンターからの情報で給油許可信号を出力し、一方、前記カードの種別が第２カードである場合に、第２のカードＩＤに対応する残高を記憶する残高管理センターから残高の情報を受け取り、給油予定情報から算出される利用予定額が残高の範囲である場合に給油を許可する信号を計量制御手段に出力する。【選択図】図６
2009154901.tif 000002
【特許請求の範囲】
【請求項１】
燃料油を吐出するノズルと、
前記ノズルからの燃料油の給油量を計量する計量手段と、
給油予定情報を入力する入力手段と、
前記給油予定情報と前記給油量に応じて給油の制御を行う計量制御手段と、
識別記号を記憶する第１カードおよび第２カードの第１および第２のカードＩＤを読み取る読取機と、
前記読取機が読み取ったカードの種別が第１カードか第２カードかを分別すると共に、当該カードが第１カードである場合に、前記第１のカードＩＤに対応する当該第１カードを用いることができるか否かの信用情報を記憶するオーソリセンターからの情報で第１給油許可信号を前記計量制御手段に出力し、一方、前記読取機が読み取ったカードが第２カードである場合に、前記第２のカードＩＤを出力するＰＯＳ本体と、
前記第２のカードＩＤに対応する残高を記憶する残高管理センターとインターネットで接続され、前記読取機が読み取ったカードの種別が第２カードである場合に、前記ＰＯＳ本体から出力された第２のカードＩＤを前記残高管理センターに送信し当該残高管理センターから当該カードＩＤに対応する残高の情報を受け取り当該残高の情報を前記ＰＯＳ本体に出力する通信ＰＣとを備え、
前記給油予定情報から算出される前記利用予定額が前記通信ＰＣからの残高の範囲であることを条件として前記ＰＯＳ本体が給油を許可する第２給油許可信号により前記残高の範囲内における前記給油予定情報に基づいた給油の制御と、前記ＰＯＳ本体からの前記第１給油許可信号により前記給油予定情報に基づいた給油の制御とを前記計量制御手段が行えるようにした給油所システム。
【請求項２】
請求項１において、給油が完了した給油完了信号を前記通信ＰＣが受け取ると、当該通信ＰＣが前記残高管理センターに利用額を出力し、前記残高管理センターの前記残高から前記利用額を減算して残高を更新し、当該利用を受け付けたことを意味する利用応答の信号が前記通信ＰＣに出力されるようにした給油所システム。
【請求項３】
請求項１において、前記通信ＰＣが前記第２のカードＩＤを受信すると、前記通信ＰＣから前記残高管理センターに残高の全額の利用を要求する全額利用要求が出力され、これに応じて前記残高管理センターが当該残高を前記通信ＰＣに出力して、残高を０円に更新するようにした給油所システム。
【請求項４】
請求項３において、給油が完了した給油完了信号を前記通信ＰＣが受け取ると、前記残高管理センターから出力された残高から前記利用額を減算した利用残額が前記残高管理センターに出力されるようにした給油所システム。
【請求項５】
燃料油を吐出するノズルと、
前記ノズルからの燃料油の給油量を計量する計量手段と、
給油予定情報を入力する入力手段と、
前記給油予定情報と前記給油量に応じて給油の制御を行う計量制御手段と、
識別記号を記憶する第１カードおよび第２カードの第１および第２のカードＩＤを読み取る読取機と、
前記読取機が読み取ったカードの種別が第１カードか第２カードかを分別すると共に、当該カードが第１カードである場合に、前記第１のカードＩＤに対応する当該第１カードを用いることができるか否かの信用情報を記憶するオーソリセンターからの情報で給油を許可する第１給油許可信号を出力し、一方、前記カードの種別が第２カードである場合に、前記第２のカードＩＤに対応する残高を記憶する残高管理センターから前記残高の情報を受け取り、前記給油予定情報から算出される利用予定額が前記残高の範囲であることを条件として給油を許可する第２給油許可信号を前記計量制御手段に出力するＰＯＳ本体とを備え、
前記第２給油許可信号により前記残高の範囲内における前記給油予定情報に基づいた給油の制御と、前記第１給油許可信号により前記給油予定情報に基づいた給油の制御とを前記計量制御手段が行えるようにした給油所システム。
【請求項６】
請求項５において、給油が完了した給油完了信号を前記計量制御手段から前記ＰＯＳ本体が受け取ると、当該ＰＯＳ本体が前記残高管理センターに利用額を出力し、前記残高管理センターの前記残高から前記利用額を減算して残高を更新し、当該利用を受け付けたことを意味する利用応答の信号が前記ＰＯＳ本体に出力されるようにした給油所システム。
【請求項７】
請求項５において、前記読取機から前記ＰＯＳ本体に前記第２のカードＩＤが送信されると、前記ＰＯＳ本体から前記残高管理センターに残高の全額の利用を要求する全額利用要求が出力され、これに応じて前記残高管理センターが当該残高を前記ＰＯＳ本体に出力して、残高を０円に更新するようにした給油所システム。
【請求項８】
請求項７において、給油が完了した給油完了信号を前記計量制御手段から前記ＰＯＳ本体が受け取ると、前記残高管理センターから出力された残高から前記利用額を減算した利用残額が前記ＰＯＳ本体から前記残高管理センターに出力されるようにした給油所システム。
【請求項９】
請求項１〜８のいずれか１項において、前記ＰＯＳ本体は前記第１カードおよび前記第２カードを用いて過去に行った給油の情報を記憶する記憶部を有する給油所システム。
【発明の詳細な説明】
【技術分野】
【０００１】
本発明は、カードを用いた給油所システムに関するものである。
【背景技術】
【０００２】
近年、給油所では、種々のカードを用いた給油がなされている。
カードとしては、貨幣価値のあるプリペイドカード（以下、「プリカ」という）や利用者（ユーザ）個人の信用に基づいて給油を許可するクレジットカードが主流である（たとえば、特許文献１）。
【特許文献１】特開２００５−３３２０１７号（図２）
【０００３】
しかし、プリカを用いたシステムでは、以下のような欠点がある。
前払式証票の規則等に関する法律（通称プリカ法）との関係上、予め供託金を納める必要があるので、給油所に資金的な負担が生じる。
また、予め貨幣化した多量のプリカを保管するので、盗難防止などの厳重な管理が必要となる。
更に、プリカの印字欄を使い切るとプリカを廃棄し、新たなプリカを発行することになるので、ランニングコストがアップする上、環境保全の観点から好ましくない。
【０００４】
一方、クレジットカードの場合には、カード自体に利用者個人の信用的価値があり、そのため、カードを紛失すると、多額の損失が発生するおそれがあるので、かかる観点から利用しないユーザも多い。そのため、給油所利用の拡大を図りにくい。
【発明の開示】
【０００５】
したがって、本発明の主目的は、ユーザおよび給油所の双方にとって、プリカやクレジットカードよりも利用し易いカードを用いた給油所システムを提供することである。
【０００６】
前記目的を達成するために、本第１発明の給油所システムは、燃料油を吐出するノズルと、前記ノズルからの燃料油の給油量を計量する計量手段と、給油予定情報を入力する入力手段と、前記給油予定情報と前記給油量に応じて給油の制御を行う計量制御手段と、識別記号を記憶する第１カードおよび第２カードの第１および第２のカードＩＤを読み取る読取機と、前記読取機が読み取ったカードの種別が第１カードか第２カードかを分別すると共に、当該カードが第１カードである場合に、前記第１のカードＩＤに対応する当該第１カードを用いることができるか否かの信用情報を記憶するオーソリセンターからの情報で第１給油許可信号を前記計量制御手段に出力し、一方、前記読取機が読み取ったカードが第２カードである場合に、前記第２のカードＩＤを出力するＰＯＳ本体と、前記第２のカードＩＤに対応する残高を記憶する残高管理センターとインターネットで接続され、前記読取機が読み取ったカードの種別が第２カードである場合に、前記ＰＯＳ本体から出力された第２のカードＩＤを前記残高管理センターに送信し当該残高管理センターから当該カードＩＤに対応する残高の情報を受け取り当該残高の情報を前記ＰＯＳ本体に出力する通信ＰＣとを備え、前記給油予定情報から算出される前記利用予定額が前記通信ＰＣからの残高の範囲であることを条件として前記ＰＯＳ本体が給油を許可する第２給油許可信号により前記残高の範囲内における前記給油予定情報に基づいた給油の制御と、前記ＰＯＳ本体からの前記第１給油許可信号により前記給油予定情報に基づいた給油の制御とを前記計量制御手段が行えるようにしたことを特徴とする。
【０００７】
本第１発明において、第１カードは信用情報に対応する第１カードＩＤを記憶しており、したがって、いわゆるクレジットカードである。
一方、第２カードは残高管理センターの残高に対応する第２カードＩＤを記憶しており、したがって、いわゆる電子マネーカードである。
【０００８】
本第１発明の給油所システムで用いるカードは、クレジットカードおよび電子マネーカードであるから、プリカと異なり、予め供託金を納める必要がないから、給油所に資金的な負担が生じない。
また、予め貨幣化した多量のプリカを保管する必要もないので、盗難防止などの管理が不必要となる。
更に、印字欄を設ける必要もなくカードを廃棄する必要がないので、ランニングコストが少なくなるなどの利点が得られる。
しかも、プリカと異なり、給油所以外の使用用途の拡大の可能性もある。
【０００９】
本システムでは電子マネーとクレジットの双方を用いることができるから、ユーザはいずれかを選択できるので、至便であり、拡販を狙うことができる。
【００１０】
ここで、ＰＯＳ本体（ＰＯＳ端末）は、古くから存在するＰＯＳシステムに対応する仕様となっているため、一般にインターネットによる通信機能を備えていない。そこで、本第１発明では、ＰＯＳ本体とは別の通信ＰＣを設けて残高管理センターとインターネットで接続可能としている。したがって、従来のＰＯＳ端末にソフトの追加や変更を行うだけで、従来と同様のＰＯＳ端末を使うことができるので、システムの構築が容易である。
【００１１】
一方、本第２発明の給油所システムは、燃料油を吐出するノズルと、前記ノズルからの燃料油の給油量を計量する計量手段と、給油予定情報を入力する入力手段と、前記給油予定情報と前記給油量に応じて給油の制御を行う計量制御手段と、識別記号を記憶する第１カードおよび第２カードの第１および第２のカードＩＤを読み取る読取機と、前記読取機が読み取ったカードの種別が第１カードか第２カードかを分別すると共に、当該カードが第１カードである場合に、前記第１のカードＩＤに対応する当該第１カードを用いることができるか否かの信用情報を記憶するオーソリセンターからの情報で給油を許可する第１給油許可信号を出力し、一方、前記カードの種別が第２カードである場合に、前記第２のカードＩＤに対応する残高を記憶する残高管理センターから前記残高の情報を受け取り、前記給油予定情報から算出される利用予定額が前記残高の範囲であることを条件として給油を許可する第２給油許可信号を前記計量制御手段に出力するＰＯＳ本体とを備え、前記第２給油許可信号により前記残高の範囲内における前記給油予定情報に基づいた給油の制御と、前記第１給油許可信号により前記給油予定情報に基づいた給油の制御とを前記計量制御手段が行えるようにしたことを特徴とする。
【００１２】
本第２発明においても、クレジットカードおよび電子マネーカードの双方を利用することができる。
【００１３】
本第２発明では、ＰＯＳ本体が通信ＰＣとしての機能を有する。
【実施例】
【００１４】
以下、本発明の実施例を図面にしたがって説明する。
【００１５】
実施例１
図１〜図４は実施例１を示す。
実施例１は、クレジットカード（第１カード）Ｃ１といわゆる電子マネーカード（第２カード）Ｃ２の双方を利用できるシステムである。
【００１６】
図１に示すように、給油所には、複数台または１台の計量機３が設けられている。各計量機３には、油種ごとに図示しないノズルが設けられており、各ノズルは燃料油を吐出する。
【００１７】
図２において、前記各計量機３には、ノズル検出手段３０、計量手段３１、計量機制御部（計量制御手段）３２、および入出力機１０が設けられている。
前記ノズル検出手段３０は計量機３のノズルをノズルハンガから取り外したか否かを検知する。
【００１８】
前記入出力機１０は、表示器１１、読取機１２、入力手段１３、プリンタ１４および紙幣識別機１５などを備える。前記入力手段１３は給油する油種や数量（金額、何リットルまたは満たん）などの給油予定情報を設定入力するためのものである。
【００１９】
前記計量手段３１は、前記ノズルから吐出された燃料油の給油量をリアルタイムに計量して図示しない計量表示器に表示する。
前記計量機制御部３２は、前記計量手段３１から入力される給油量をリアルタイムに監視しながら、前記給油予定情報に基づいて、図示しないポンプの回転、流量制御弁の開度および開閉弁の開閉の制御を行い、所定量の燃料油が給油されるように制御する。
【００２０】
前記各計量機制御部３２はＳＳ−ＬＡＮを介して１つのセルフ用の集中コントローラ（計量制御手段の一部）ＳＳＣに接続されている。前記集中コントローラＳＳＣは、セルフ式の給油所に設けられるもので、ＳＳ−ＬＡＮによりＰＯＳ本体１に接続されている。
【００２１】
図１の前記入出力機１０はＨＵＢを介してイーサネット（登録商標）によりＰＯＳ本体（ＰＯＳ端末）１に接続されている。前記入力手段１３から入力された給油予定情報はＨＵＢを介してＰＯＳ本体１に送信される。
前記読取機１２は、ユーザが投入したクレジットカードＣ１および電子マネーカードＣ２のカードＩＤを読み取り、当該カードＩＤ等の情報を図１のＨＵＢを介してＰＯＳ本体１に出力する。
【００２２】
前記ＰＯＳ本体１は分別手段４０を備えており、この分別手段４０は、前記読取機１２が読み取ったカードの種別がクレジットカードＣ１か電子マネーカードＣ２かを分別する。
【００２３】
前記ＰＯＳ本体１はＩＳＮ等の通信回線を介してオーソリセンター１９に接続されている。前記オーソリセンター１９は前記クレジットカードＣ１を用いることができるか否かの信用情報を記憶している。
【００２４】
前記読取機１２（図２）が読み取ったカードＩＤがクレジットカードＣ１のカードＩＤであると判断された場合、前記ＰＯＳ本体１は、当該クレジットカードＣ１のカードＩＤをオーソリセンター１９に送信し、前記オーソリセンター１９からの信用情報で第１給油許可信号Ｓａを前記集中コントローラＳＳＣに出力する。前記第１給油許可信号Ｓａは、前記集中コントローラＳＳＣでホールドされ、オペレータが集中コントローラＳＳＣを操作することで給油許可信号として、前記計量機制御部３２に出力される。この給油許可信号を受け取った場合には、ノズルのレバーを操作することにより給油がなされ、計量機制御部３２は前記給油予定情報に基づいた給油の制御を行う。
【００２５】
前記通信ＰＣ２は前記ＨＵＢおよびルーター５を介して残高管理センター２９に接続されている。前記残高管理センター２９は前記各電子マネーカードＣ２のカードＩＤに対応する残高の情報を記憶している。
【００２６】
前記読取機１２が読み取ったカードＩＤが電子マネーカードＣ２のカードＩＤであると分別手段４０が分別した場合、前記ＰＯＳ本体１は当該カードＩＤをＨＵＢを介して通信ＰＣ２に送信する。前記通信ＰＣ２は当該カードＩＤを残高管理センター２９に出力し、前記残高管理センター２９から当該カードＩＤに対応する残高の情報を受け取り、当該残高の情報をＨＵＢを介してＰＯＳ本体１に出力する。
【００２７】
ＰＯＳ本体１は判別手段４１を備えている。この判別手段４１は、通信ＰＣ２から残高の情報が入力されると、前記残高管理センター２９に記憶されていた残高の範囲で前記入力手段１３（図２）から入力された給油予定情報に基づいた給油が可能か否かの判別を行う。
【００２８】
判別の結果、前記給油予定情報から算出される利用予定額が前記残高の範囲内である場合にはＰＯＳ本体１は集中コントローラＳＳＣに給油を許可する第２給油許可信号Ｓｂを出力し、一方、残高の範囲を超える場合には、ＨＵＢを介して入出力機１０に油種および数量を再設定させる信号を送る。前記給油を許可する第２給油許可信号Ｓｂは、前記集中コントローラＳＳＣでホールドされ、オペレータが集中コントローラＳＳＣを操作することで、給油許可信号として前記計量機制御部３２に出力される。この給油許可信号を受け取った場合には、ノズルのレバーを操作することにより給油がなされ、計量機制御部３２は前記残高の範囲内における前記給油予定情報に基づいた給油の制御を行う。
【００２９】
前記ＰＯＳ本体１は、以下に説明する販売管理および在庫管理を行うための記憶部１８を備える。
燃料油の基本的な販売管理としては、いつ、何番ノズル（又は何番計量機）で何の油種をどれだけ（何リッター、何円）給油したか（販売形態管理用として、現金と現金以外であればそのカードＮｏ．なども記録）が記憶部１８に記憶される。つまり、記憶部１８は、過去に行った給油の給油日時、ノズルＮｏ．、油種、給油量、給油金額、（支払方法、カードＮｏ．）などを記憶し、この記憶を基にして、ＰＯＳ本体１は計量機ごと・ノズルごと・油種ごとの給油量と金額の日計・月報（週報）などを算出して販売の管理資料を作成する。
前記ＰＯＳ本体１は前記記憶内容を加工して地下タンクごと（油種）の在庫の管理を行うこともできる。
【００３０】
つぎに、図１のシステムの運用を図３および図４のチャートを用いて説明する。
まず、前記クレジットカードＣ１を用いる場合について説明する。
【００３１】
図３のステップＳ１において、ユーザが読取機１２にクレジットカードＣ１を挿入すると、当該クレジットカードＣ１のカードＩＤが入出力機１０からＨＵＢを介してＰＯＳ本体１に送信される。ＰＯＳ本体１の分別手段４０はカードＩＤ等から当該カードＩＤのカードがクレジットカードＣ１か電子マネーカードＣ２かを分別する。この場合、クレジットカードＣ１であるから、ステップＳ２に進む。
【００３２】
次のステップＳ２で、ＰＯＳ本体１が当該カードＩＤをオーソリセンター１９に送信し、信用情報を問い合わせると、ステップＳ３において、当該カードＩＤのカードを用いることができるか否かの信用情報をＰＯＳ本体１にオーソリセンター１９が送信して応答する。
【００３３】
一方、前記クレジットカードＣ１を挿入したユーザがステップＳ５０で油種の設定とステップＳ５１で数量の設定を入力手段１３から行うと、当該設定された油種と数量がＨＵＢを介してＰＯＳ本体１に入力される。前記信用情報が「使用可」の場合、次のステップＳ４において、ＰＯＳ本体１はカードＩＤ、油種および数量の情報を含む第１給油許可信号Ｓａを集中コントローラＳＳＣに送信する。集中コントローラＳＳＣは前記第１給油許可信号Ｓａをホールドする。
【００３４】
その後、ユーザがステップＳ５２でノズルをノズルハンガーから取り外して、ノズル検出手段３０（図３）からのノズルＯＮの信号が計量機制御部３２から集中コントローラＳＳＣに出力され、更に、給油所のオペレータが集中コントローラＳＳＣの操作ボタンを押下すると、前記第１給油許可信号Ｓａをホールドしていた集中コントローラＳＳＣは、ステップＳ５において、前記設定された油種と数量の範囲で給油を許可する給油許可信号を計量機制御部３２に送信する。
【００３５】
これにより、ステップＳ５３に進み、ノズルから燃料油が吐出（給油が開始）されると共に、給油開始の信号が計量機制御部３２から集中コントローラＳＳＣに送信される。
【００３６】
ここで、給油予定情報の数量として金額またはリットル数が入力手段１３から入力されている場合において、給油中に「満たん」とならないときは、当該金額またはリットル数となるまで給油がなされ、給油中に「満たん」となったときは、満たんとなった時点で給油が停止される。
【００３７】
一方、数量として入力手段１３から「満たん」が入力されている場合においては「満たん」になるまで給油が行なえる。
【００３８】
給油が完了しステップＳ５４でユーザがノズルをノズルハンガに戻すと、これをノズル検出手段３０が検出し、給油完了信号が計量機制御部３２から集中コントローラＳＳＣを介してＰＯＳ本体１に出力される。前記給油完了信号には、実際に給油された油種や数量、金額などの情報が含まれており、これらをＰＯＳ本体１が記憶部１８に記憶する。
同時に、入出力機１０の読取機１２からクレジットカードＣ１が排出されると共に、プリンタ１４から利用明細が印字される。
【００３９】
このように、クレジットカードＣ１についてはＰＯＳ本体１からの第１給油許可信号Ｓａにより、信用情報および給油予定情報に基づいた給油が可能である。
【００４０】
つぎに、電子マネーカードＣ２を用いる場合について説明する。
この場合、必要に応じてユーザは図２の紙幣識別機１５に紙幣を投入すると共に、読取機１２に電子マネーカードＣ２を投入して、電子マネーカードＣ２で使用できるお金をチャージすることができる。
この際、図１のＨＵＢおよび通信ＰＣ２を介して残高管理センター２９に前記電子マネーカードＣ２のＩＤカードごとの使用残高が更新記憶される。
【００４１】
図４のステップＳ１１において、ユーザが読取機１２に電子マネーカードＣ２を挿入すると、当該電子マネーカードＣ２のカードＩＤが入出力機１０からＨＵＢを介してＰＯＳ本体１に送信される。ＰＯＳ本体１の分別手段４０はカードＩＤ等から当該カードＩＤのカードがクレジットカードＣ１か電子マネーカードＣ２かを分別する。この場合、電子マネーカードＣ２であるから、前記ＰＯＳ本体１は前記カードＩＤ等の情報をＨＵＢを介して通信ＰＣ２に送信し、ステップＳ１２に進む。
【００４２】
前記ステップＳ１２において、通信ＰＣ２はＨＵＢおよびルーター５を介して残高管理センター２９に当該電子マネーカードＣ２のカードＩＤを送信し、残高を問い合わせると、次のステップＳ１３において、残高管理センター２９は当該カードＩＤに対応する残高を検索し、当該残高の情報を送信しルーター５およびＨＵＢを介して通信ＰＣ２に応答する。
【００４３】
次のステップＳ１４において、前記通信ＰＣ２は、前記カードＩＤおよび前記残高の情報をＨＵＢを介してＰＯＳ本体１に送信する。ＰＯＳ本体１はこの情報に含まれる残高とカードＩＤとを一時的に記憶する。
【００４４】
一方、前記電子マネーカードＣ２を挿入したユーザがステップＳ５０で油種の設定とステップＳ５１で数量の設定を入力手段１３から行うと、当該設定された油種と数量がＰＯＳ本体１に出力される。
【００４５】
前記ＰＯＳ本体１は前記入力された数量および油種から算出される利用予定額と前記残高とを比較し、残高の範囲内である場合は、ステップ１００において給油を許可する第２給油許可信号Ｓｂを集中コントローラＳＳＣに送信する。この信号Ｓｂには、給油を許可すると共に前記残高の範囲での油種と数量の情報が含まれている。一方、利用予定額が前記残高を超える場合には、その旨を図２のＨＵＢを介して入出力機１０に出力し、入出力機１０は表示器１１に数量を再設定するように表示する。
【００４６】
つまり、給油予定情報の数量として金額またはリットル数が入力手段１３から入力されている場合においては、当該金額や前記リットル数および油種から換算される利用予定額が前記残高の範囲内であるときは、前記入力された金額またはリットル数が数量の情報として、そのまま第２給油許可信号Ｓｂに含まれ、一方、残高の範囲外であるときは、前記再設定の表示をさせる。
また、前記給油予定情報の数量として「満たん」が入力手段１３から入力されている場合においては、前記残高の情報として給油希望量としての「満たん」の情報に代り、給油上限としての前記残高の情報が第２給油許可信号Ｓｂに含まれる。
【００４７】
その後、図４のステップＳ１５では前記ステップＳ５と同様に第２給油許可信号Ｓｂが給油許可信号として集中コントローラＳＳＣから計量機制御部３２に出力される。
【００４８】
これにより、ステップＳ５３に進み、ノズルから燃料油が吐出（給油が開始）されると共に、給油開始の信号が計量機制御部３２から集中コントローラＳＳＣに送信される。
【００４９】
ここで、給油予定情報の数量として前記残高の範囲で金額またはリットル数が入力手段１３から入力されている場合において、給油中に「満たん」とならないときは、当該金額またはリットル数となるまで給油がなされ、給油中に「満たん」となったときは、満たんとなった時点で給油が停止される。
【００５０】
一方、数量として入力手段１３から「満たん」が入力されている場合においては給油金額が前記残高となるか、あるいは、「満たん」になるまで給油が行なえる。
【００５１】
次のステップＳ５４は前述のクレジットカードＣ１の場合と同様であるが、給油完了信号がＰＯＳ本体１に出力されると、ＰＯＳ本体１は当該信号をＨＵＢを介して通信ＰＣに出力する。なお、給油完了信号に含まれる油種や数量、金額などの情報は、ＰＯＳ本体１の記憶部１８に記憶される。
【００５２】
前記給油完了信号を受け取った通信ＰＣ２は、ステップＳ１６において当該利用に応じた利用額をカードＩＤと共にルーター５を介して残高管理センター２９に送信する。
次のステップＳ１７において、残高管理センター２９は前記カードＩＤに応じた残高から前記利用額を減算して、当該カードＩＤに対応する残高を更新記憶すると共に、当該利用を受け付けたことを意味する利用応答の信号を前記通信ＰＣ２に送信する。
【００５３】
次のステップＳ１８において通信ＰＣ２は完了通知をＨＵＢを介してＰＯＳ本体１に送信すると、ＰＯＳ本体１はＨＵＢを介して入出力機１０に同完了通知を送信する。これにより、入出力機１０の読取機１２は電子マネーカードＣ２を排出すると共に、プリンタ１４（図２）から利用明細が印字される。
【００５４】
このように、電子マネーカードＣ２については通信ＰＣ２からの残高の情報により、残高の範囲で給油予定情報に基づく給油が可能となる。
【００５５】
ところで、図４の実施例１では残高管理センター２９に残高が残ったまま給油を行うので、同時使用などによる不正行為を防止し得ない場合がある。この不正防止を図り得る例を次に変形例として示す。
【００５６】
図５は前記実施例１の変形例を示すチャートである。
【００５７】
この変形例は図４の前記実施例１のステップＳ１２、１３、１６および１７に代えて、図５のステップＳ３２、３３、３６、３７を採用している。
【００５８】
図５において、ステップＳ３２では、前記読取機１２からＰＯＳ本体１を介して前記通信ＰＣ２に前記第２のカードＩＤが送信されると、前記通信ＰＣ２から前記残高管理センター２９に残高の全額の利用を要求する全額利用要求が送信される。これに応じてステップＳ３３では、前記残高管理センター２９が当該残高を前記通信ＰＣ２に送信すると共に残高を０円に更新する。これにより、同時使用による不正を防止できる。
【００５９】
一方、ステップＳ３６では、給油が完了した給油完了信号を前記計量制御部３２から集中コントローラＳＳＣおよびＰＯＳ本体１を介して、前記通信ＰＣ２が受け取ると、前記残高管理センター２９から出力された残高から前記利用額を減算した利用残額が前記残高管理センター２９に出力される。これに応じて、次のステップＳ３７では残高管理センター２９は前記利用残額を受け取った旨の返信を残高応答として通信ＰＣ２に送信し、同時に前記利用残額を残高として更新記憶する。
【００６０】
前記実施例１ではＰＯＳ本体１以外に通信ＰＣ２を設けたが、ＰＯＳ本体１にインターネット上での通信機能を搭載すれば通信ＰＣ２を設ける必要はない。この例を図６〜図８の実施例２に示す。
【００６１】
実施例２
この実施例２のシステムではＰＯＳ本体１が前記通信ＰＣ２の機能を備える。つまり、ＰＯＳ本体１はＨＵＢおよびルーター５を介してインターネットで残高管理センター２９と通信する機能を有する。
【００６２】
実施例２のシステムにより電子マネーカードＣ２を用いた場合の運用は図７および図８に示すように、前記実施例１と同様であり、したがって、その詳しい説明を省略する。
【００６３】
すなわち、ＰＯＳ本体１は残高管理センター２９に図７のステップＳ１２の残高を問い合わせたり、ステップＳ１６の利用要求や図８のステップＳ３２の金額利用要求、ステップＳ３６の返品要求を送信する。また、ＰＯＳ本体１は図７のステップＳ１３および図８のステップＳ３３、Ｓ３７の残高応答や図７のステップＳ１７の利用応答を残高管理センター２９から受け取ったり、更に、ＰＯＳ本体１はステップＳ１４で給油を許可する第１給油許可信号Ｓａや第２給油許可信号Ｓｂを集中コントローラＳＳＣに出力する。
【００６４】
なお、前記実施例ではセルフの場合について説明したが、フルサービスについても本発明は適用できる。フルサービスの場合、集中コントローラＳＳＣは不要となる。この場合、計量機制御部３２はＰＯＳ本体と通信すると共に２つの計量機制御部３２の親機として、一方の計量機制御部３２をマスターとし、他方をスレーブとすると共に、当該マスターがダウンした場合に対応できるように、スレーブをマスターに変更できるようにするのが望ましい。
【００６５】
また、電子マネーカードは磁気カードを用いても、あるいは、他の接触式でも非接触式のいずれでもよい。更に、非接触式の場合には個有番号を認識できる機能を持つ携帯電話などでもよい。
【産業上の利用可能性】
【００６６】
本発明は給油所システムに利用することができる。
【図面の簡単な説明】
【００６７】
【図１】本発明の実施例１を示す給油所システムの概略構成図である。
【図２】計量機等の概略構成図である。
【図３】クレジットカード（第１カード）による給油の運用を示すチャートである。
【図４】電子マネーカード（第２カード）による給油の運用を示すチャートである。
【図５】同カードによる別の運用例を示すチャートである。
【図６】本発明の実施例２を示す給油所システムの概略構成図である。
【図７】電子マネーカード（第２カード）による給油の運用を示すチャートである。
【図８】同カードによる別の運用例を示すチャートである。
【符号の説明】
【００６８】
１：ＰＯＳ本体
１８：記憶部
２：通信ＰＣ
３：計量機
３１：計量手段
３２：計量機制御部（計量機制御手段）
１２：読取機
１３：入力手段
【図１】
2009154901.tif 000003
【図２】
2009154901.tif 000004
【図３】
2009154901.tif 000005
【図４】
2009154901.tif 000006
【図５】
2009154901.tif 000007
【図６】
2009154901.tif 000008
【図７】
2009154901.tif 000009
【図８】
2009154901.tif 000010